(57)【特許請求の範囲】
【請求項１】
第１記録媒体に記録されている所定のデータを、通常速度又は高速度で第２記録媒体に記録する記録手段と、
前記記録手段がデータを高速度で記録することを禁止されている禁止状態であるか否かを判別する状態判別手段と、
前記状態判別手段が前記記録手段は禁止状態であると判別した場合に、該禁止状態が解除されるまでの残り時間を取得し、該残り時間の長さに応じて、前記記録手段にデータを記録させる際の記録速度を判別する速度判別手段と、
前記速度判別手段が判別した記録速度で、前記記録手段に所定のデータを記録させる制御手段と、
から構成されていることを特徴とするデータ記録再生装置。
【請求項２】
前記速度判別手段は、所定のデータを通常速度で記録するのに要する時間と、前記残り時間に所定のデータを高速度で記録するのに要する時間を加えた時間と、を比較し、時間が短い方の記録速度を前記記録手段にデータを記録させる際の記録速度として判別する、ことを特徴とする請求項１に記載のデータ記録再生装置。
【請求項３】
前記記録手段が高速度でデータを記録してから、該記録手段が再び高速度でデータを記録することを禁止する禁止時間を計測する計時手段をさらに備え、
前記状態判別手段は、前記計時手段が前記禁止時間を計測中であるか否かを判別することにより、前記記録手段が禁止状態であるか否かを判別する、
ことを特徴とする請求項１又は２に記載のデータ記録再生装置。
【請求項４】
前記制御手段は、前記速度判別手段が前記記録手段の記録速度を高速度と判別した場合、前記残り時間が経過した後に、前記記録手段に高速度で所定のデータを記録させる、ことを特徴とする請求項１乃至３の何れか１項に記載のデータ記録再生装置。
【請求項５】
第１記録媒体に記録されている所定のデータを、通常速度又は高速度で第２記録媒体に記録する記録工程と、
前記記録工程でデータを高速度で記録することを禁止されている禁止状態であるか否かを判別する状態判別工程と、
前記状態判別工程で禁止状態であると判別した場合に、該禁止状態が解除されるまでの残り時間を取得し、該残り時間の長さに応じて、前記記録工程でデータを記録する際の記録速度を判別する速度判別工程と、
を備え、
前記記録工程は、前記速度判別工程で判別された記録速度で、所定のデータを記録する工程を備える、
ことを特徴とするデータ記録再生方法。
【請求項６】
前記速度判別工程は、所定のデータを通常速度で記録するのに要する時間と、前記残り時間に所定のデータを高速度で記録するのに要する時間を加えた時間と、を比較し、時間が短い方の記録速度を前記記録工程でデータを記録する際の記録速度として判別する工程を備える、ことを特徴とする請求項５に記載のデータ記録再生方法。
【請求項７】
前記記録工程で高速度でデータを記録してから、該記録工程で再び高速度でデータを記録することを禁止する禁止時間を計測する計時工程をさらに備え、
前記状態判別工程は、前記計時工程で前記禁止時間を計測中であるか否かを判別することにより、禁止状態であるか否かを判別する工程を備える、
ことを特徴とする請求項５又は６に記載のデータ記録再生方法。
【請求項８】
前記記録工程は、前記速度判別工程で判別される記録速度が高速度であった場合、前記残り時間が経過した後に、所定のデータを高速度で記録する工程を備える、ことを特徴とする請求項５乃至７の何れか１項に記載のデータ記録再生方法。
【請求項９】
コンピュータを、
第１記録媒体に記録されている所定のデータを、通常速度又は高速度で第２記録媒体に記録する記録手段と、
前記記録手段がデータを高速度で記録することを禁止されている禁止状態であるか否かを判別する状態判別手段と、
前記状態判別手段が前記記録手段は禁止状態であると判別した場合に、該禁止状態が解除されるまでの残り時間を取得し、該残り時間の長さに応じて、前記記録手段にデータを記録させる際の記録速度を判別する速度判別手段と、
前記速度判別手段が判別した記録速度で、前記記録手段に所定のデータを記録させる制御手段と、
から構成されていることを特徴とするデータ記録再生装置として機能させるためのプログラムを記録したコンピュータ読み取り可能な記録媒体。
【発明の詳細な説明】
【０００１】
【発明の属する技術分野】
本発明は、データ記録再生装置に関し、特に、高速ダビングを禁止する機能を備えるデータ記録再生装置に関する。また、本発明は、データを効率よくダビングすることを可能にするデータ記録再生方法に関する。さらに、本発明は、データを効率よくダビングするためのプログラムを記録した記録媒体に関する。
【０００２】
【従来の技術】
ＣＤ（Compact Disc）等に記録されている楽曲データをダビングする際、ＭＤ（Mini Disc ）等の光磁気ディスクを用いることにより、音質の劣化等をほとんど伴わずに楽曲データをＭＤ等に記録することができる。
【０００３】
オーディオ装置を用いて楽曲データをＣＤからＭＤにダビングする際、通常の再生速度よりも早い速度（倍速以上）でダビングすることにより、短時間で楽曲データをＭＤに記録することができる。
【０００４】
しかし、以上のような高速ダビングを連続して行うことにより、同一の楽曲データが多量にコピーされてしまう。このため、高速ダビングを行った場合、例えば楽曲データの著作権を保護するという理由から、所定の高速記録禁止時間内（例えば７４分間）は再度高速ダビングすることを禁止するオーディオ装置がある。
【０００５】
【発明が解決しようとする課題】
上記したように、高速ダビング禁止機能を備えたオーディオ装置を用いると、一度高速ダビングした後は、所定の高速記録禁止時間が経過しない限り再び高速ダビングすることはできない。例えば、１つの楽曲データだけを高速ダビングした場合や、シングルＣＤのようにトータル時間が短い場合でも、所定の高速記録禁止時間が経過しない限り再び高速ダビングすることはできない。
【０００６】
このため、高速ダビングしていない楽曲データを高速ダビングする場合も、上記高速記録禁止時間の経過を待たなければならず、通常速度でダビングする場合よりも時間がかかってしまう場合がある。言い換えると、高速ダビング禁止機能を備えたオーディオ装置は、データを効率よく記録することができないという問題がある。
【０００７】
従って、本発明は、データの記録を効率よく行うデータ記録再生装置及びデータ記録再生方法を提供することを目的とする。また、本発明は、データの記録を効率よく行うことを可能にする記録媒体を提供することを目的とする。
【０００８】
【課題を解決するための手段】
上記目的を達成するために、本発明の第１の観点にかかるデータ記録再生装置は、第１記録媒体に記録されている所定のデータを、通常速度又は高速度で第２記録媒体に記録する記録手段と、前記記録手段がデータを高速度で記録することを禁止されている禁止状態であるか否かを判別する状態判別手段と、前記状態判別手段が前記記録手段は禁止状態であると判別した場合に、該禁止状態が解除されるまでの残り時間を取得し、該残り時間の長さに応じて、前記記録手段にデータを記録させる際の記録速度を判別する速度判別手段と、前記速度判別手段が判別した記録速度で、前記記録手段に所定のデータを記録させる制御手段と、から構成されていることを特徴とする。
この発明によれば、データの記録を効率よく行うことができる。
【０００９】
前記速度判別手段は、所定のデータを通常速度で記録するのに要する時間と、前記残り時間に所定のデータを高速度で記録するのに要する時間を加えた時間と、を比較し、時間が短い方の記録速度を前記記録手段にデータを記録させる際の記録速度として判別してもよい。
【００１０】
前記記録手段が高速度でデータを記録してから、該記録手段が再び高速度でデータを記録することを禁止する禁止時間を計測する計時手段をさらに備え、前記状態判別手段は、前記計時手段が前記禁止時間を計測中であるか否かを判別することにより、前記記録手段が禁止状態であるか否かを判別してもよい。
【００１１】
前記制御手段は、前記速度判別手段が前記記録手段の記録速度を高速度と判別した場合、前記残り時間が経過した後に、前記記録手段に高速度で所定のデータを記録させてもよい。
【００１２】
本発明の第２の観点にかかるデータ記録再生方法は、第１記録媒体に記録されている所定のデータを、通常速度又は高速度で第２記録媒体に記録する記録工程と、前記記録工程でデータを高速度で記録することを禁止されている禁止状態であるか否かを判別する状態判別工程と、前記状態判別工程で禁止状態であると判別した場合に、該禁止状態が解除されるまでの残り時間を取得し、該残り時間の長さに応じて、前記記録工程でデータを記録する際の記録速度を判別する速度判別工程と、を備え、前記記録工程は、前記速度判別工程で判別された記録速度で、所定のデータを記録する工程を備える、ことを特徴とする。
【００１３】
前記速度判別工程は、所定のデータを通常速度で記録するのに要する時間と、前記残り時間に所定のデータを高速度で記録するのに要する時間を加えた時間と、を比較し、時間が短い方の記録速度を前記記録工程でデータを記録する際の記録速度として判別する工程を備えてもよい。
【００１４】
前記記録工程で高速度でデータを記録してから、該記録工程で再び高速度でデータを記録することを禁止する禁止時間を計測する計時工程をさらに備え、前記状態判別工程は、前記計時工程で前記禁止時間を計測中であるか否かを判別することにより、禁止状態であるか否かを判別する工程を備えてもよい。
【００１５】
前記記録工程は、前記速度判別工程で判別される記録速度が高速度であった場合、前記残り時間が経過した後に、所定のデータを高速度で記録する工程を備えてもよい。
【００１６】
本発明の第３の観点にかかるコンピュータ読み取り可能な記録媒体は、コンピュータを、第１記録媒体に記録されている所定のデータを、通常速度又は高速度で第２記録媒体に記録する記録手段と、前記記録手段がデータを高速度で記録することを禁止されている禁止状態であるか否かを判別する状態判別手段と、前記状態判別手段が前記記録手段は禁止状態であると判別した場合に、該禁止状態が解除されるまでの残り時間を取得し、該残り時間の長さに応じて、前記記録手段にデータを記録させる際の記録速度を判別する速度判別手段と、前記速度判別手段が判別した記録速度で、前記記録手段に所定のデータを記録させる制御手段と、から構成されていることを特徴とするデータ記録再生装置として機能させるためのプログラムを記録している。
【００１７】
【発明の実施の形態】
次に、本発明の実施の形態にかかる記録再生装置について図面を参照して説明する。
【００１８】
本発明の実施の形態にかかる記録再生装置は、利用者の指示に従って、ＣＤ（Compact Disc）に記録されている楽曲データをＭＤ（Mini Disc ）に記録する。上記楽曲データの記録方式（ダビングモード）には、通常モード、高速モード、及び、ＡＩモードの３種類がある。
【００１９】
通常モードは、ＣＤに記録されている楽曲データを通常速度でＭＤに記録（通常ダビング）する方式である。高速モードは、ＣＤに記録されている楽曲データを高速度でＭＤに記録（高速ダビング）する方式である。ＡＩモードは、通常ダビングと高速ダビングの何れが楽曲データをより早くダビングできるかを判別し、効率よく楽曲データをダビングする方式である。
【００２０】
上記記録再生装置は、図１に示すように、ＣＤ再生部１と、ＭＤ記録再生部２と、入力部３と、メモリ４と、タイマ５と、表示部６と、制御部７と、から構成されている。
【００２１】
ＣＤ再生部１は、複数枚のＣＤを収納し、ＣＤに記録されている楽曲データを通常速度で再生（通常再生）したり、高速度で再生（高速再生）したりする。ＣＤ再生部１に収納されるＣＤは、その収納位置に応じて、ディスク１、ディスク２、ディスク３、・・・というディスク番号により識別される。また、ＣＤ再生部１は、所定位置にセットされたＣＤに記録されているＴＯＣ（Table Of Contents ）情報を再生し、ＣＤ−ＴＯＣ情報を生成して制御部７に出力する。なお、ＣＤ−ＴＯＣ情報は、ＣＤのディスク番号、ＣＤに記録されている全楽曲データを通常再生するのに要する総時間、記録されている楽曲データの数（トラック数）、及び、通常再生に要する各楽曲データの個別再生時間等を示す。
【００２２】
ＭＤ記録再生部２は、ＭＤを収納し、ＭＤに記録されている楽曲データを再生する。また、ＭＤ記録再生部２は、所定位置にセットされたＭＤに記録されているＴＯＣ情報を再生し、ＭＤ−ＴＯＣ情報を生成して制御部７に出力する。なお、ＭＤ−ＴＯＣ情報は、ＭＤに記録されている楽曲データの数（トラック数）等を示す。また、ＭＤ記録再生部２は、ＣＤ再生部１から供給される楽曲データをＭＤに記録する。具体的には、ＭＤ記録再生部２は、ＣＤ再生部１が通常再生した楽曲データを通常速度でＭＤに記録（通常録音）し、ＣＤ再生部１が高速再生した楽曲データを高速度でＭＤに記録（高速録音）する。
【００２３】
入力部３は、複数の入力ボタン等を備え、記録再生装置の利用者により操作される。例えば、記録再生装置の利用者は、入力部３の入力ボタン等を操作して、上記ダビングモードの選択を行う。また、利用者は、入力部３の入力ボタンを操作して、ダビング対象の楽曲データが記録されているＣＤを示すディスク番号、及び、ダビング対象の楽曲データがＣＤの何番目に記録されているかを示すトラック番号等の入力を行う。入力部３は、利用者が選択又は入力したダビングモード、ディスク番号、及び、トラック番号等を示す信号を、ＣＤからＭＤへのダビングを指示するダビング信号として制御部７に出力する。
【００２４】
メモリ４は、上記ＣＤ−ＴＯＣ情報及びＭＤ−ＴＯＣ情報を記憶する。
タイマ５は、高速ダビングを禁止する高速記録禁止時間（例えば７４分）をカウントする。
表示部６は、液晶パネル等から構成され、所定の文字列やマーク等により記録再生装置の動作状況等を表示する。
【００２５】
制御部７は、ＲＡＭ（Random Access Memory）を備えるＣＰＵ（Central Processing Unit ）等から構成されている。制御部７は、入力部３から供給される様々な信号等に従って、ＣＤ再生部１、ＭＤ記録再生部２、メモリ４、タイマ５、及び、表示部６の動作を制御し、ＣＤに記録されている楽曲データをＭＤにダビングする。なお、制御部７の詳しい動作については後述する。
【００２６】
次に、以上のように構成された記録再生装置の動作について説明する。
始めに、記録再生装置の利用者は、ダビング対象の楽曲データを記録している所定枚数のＣＤをＣＤ再生部１にセットし、ダビング先であるＭＤをＭＤ記録再生部２にセットする。
【００２７】
ＣＤ再生部１は、セットされた各ＣＤに記録されているＴＯＣ情報を再生し、上記ＣＤ−ＴＯＣ情報を生成して制御部７に出力する。
ＭＤ記録再生部２は、セットされたＭＤに記録されているＴＯＣ情報を再生し、上記ＭＤ−ＴＯＣ情報を生成して制御部７に出力する。
【００２８】
制御部７は、ＣＤ再生部１から供給されるＣＤ−ＴＯＣ情報、及び、ＭＤ記録再生部２から供給されるＭＤ−ＴＯＣ情報を、メモリ４に記憶させる。
記録再生装置の利用者は、ＣＤ及びＭＤをセットした後、入力部３の入力ボタン等を操作して、上記ダビングモードの選択を行う。
【００２９】
また、利用者は、入力部３の入力ボタンを操作して、ダビング対象である楽曲データが記録されているＣＤのディスク番号及びトラック番号を、ダビングする順番に入力する。
【００３０】
入力部３は、利用者が選択又は入力したダビングモード、ディスク番号、及び、トラック番号等を示すダビング信号を制御部７に出力する。
制御部７は、入力部３から供給されるダビング信号に応答して、図２に示すダビング処理を開始する。
【００３１】
始めに、制御部７は、ダビング信号が示すダビングモードが、通常モード、高速モード、及び、ＡＩモードの何れであるかを判別する（ステップＳ１０１）。通常モードであると判別した場合（ステップＳ１０１；通常）、制御部７は、ＣＤ再生部１及びＭＤ記録再生部２を制御し、ダビング信号が示すディスク番号及びトラック番号に記録されている楽曲データをＭＤに通常ダビングし（ステップＳ１０２）、ダビング処理を終了する。
【００３２】
高速モードであると判別した場合（ステップＳ１０１；高速）、制御部７は、後述する高速ダビング処理を行い（ステップＳ１０３）、ダビング処理を終了する。
ＡＩモードであると判別した場合（ステップＳ１０１；ＡＩ）、制御部７は、後述するＡＩダビング処理を行い（ステップＳ１０４）、ダビング処理を終了する。
【００３３】
図３は、制御部７が行う上記高速ダビング処理を示すフローチャートである。始めに、制御部７は、タイマ５が上記高速記録禁止時間のカウントを行っているか否かを判別する。これにより、制御部７は、前回の高速ダビングから所定の高速記録禁止時間が経過しているか否かを判別する（ステップＳ２０１）。
【００３４】
経過していないと判別した場合（ステップＳ２０１；ＮＯ）、制御部７は、タイマ５から高速記録禁止時間が経過するまでの残り時間を取得する。そして、制御部７は、表示部６を制御して、取得した残り時間を表示し（ステップＳ２０２）、高速ダビング処理を終了する。
【００３５】
一方、経過していると判別した場合（ステップＳ２０１；ＹＥＳ）、制御部７は、ＣＤ再生部１及びＭＤ記録再生部２を制御して、ダビング信号が示すディスク番号及びトラック番号に記録される楽曲データをＭＤに高速ダビングし（ステップＳ２０３）、高速ダビング処理を終了する。なお、制御部７は、高速ダビングを開始する際、タイマ５に所定の高速記録禁止時間をセットし、タイマ５に高速記録禁止時間のカウントを開始させる。
【００３６】
図４は、制御部７が行う上記ＡＩダビング処理を示すフローチャートである。始めに、制御部７は、タイマ５が上記高速記録禁止時間のカウントを行っているか否かを判別する。これにより、制御部７は、前回の高速ダビングから所定の高速記録禁止時間が経過しているか否かを判別する（ステップＳ３０１）。
【００３７】
経過していると判別した場合（ステップＳ３０１；ＹＥＳ）、制御部７は、ＣＤ再生部１及びＭＤ記録再生部２を制御して、ダビング信号が示すディスク番号及びトラック番号に記録されている楽曲データをＭＤに高速ダビングし（ステップＳ３０２）、ＡＩダビング処理を終了する。なお、制御部７は、高速ダビングを開始する際、タイマ５に所定の高速記録禁止時間をセットし、タイマ５に高速記録禁止時間のカウントを開始させる。
【００３８】
一方、経過していないと判別した場合（ステップＳ３０１；ＮＯ）、制御部７は、通常ダビングと高速ダビングの何れが、入力部３からのダビング信号が示す楽曲データをより早くダビングすることができるかを判別する（ステップＳ３０３）。言い換えると、制御部７は、高速記録禁止時間の経過を待たずに通常ダビングするのと、高速記録禁止時間の経過を待ってから高速ダビングするのとでは、どちらが早く楽曲データをダビングすることができるかを判別する。
【００３９】
具体的には、制御部７は、タイマ５から高速記録禁止時間が経過するまでの残り時間を取得する。また、制御部７は、メモリ４に記憶させたＣＤ−ＴＯＣ情報からダビング対象である楽曲データの個別再生時間を取得する。
【００４０】
そして、制御部７は、高速記録禁止時間の経過を待たずに通常ダビングするのに要する時間（通常ダビング時間）と、高速記録禁止時間の経過を待ってから高速ダビングするのに要する時間（高速記録禁止時間の残り時間）＋（高速ダビング時間）と、をそれぞれ求める。
【００４１】
その後、制御部７は、（高速記録禁止時間の残り時間）＋（高速ダビング時間）と（通常ダビング時間）のどちらが短いかを判別する。これにより、制御部７は、通常ダビングと高速ダビングの何れが楽曲データをより早くダビングすることができるかを判別する。
【００４２】
通常ダビングの方が早いと判別した場合（ステップＳ３０３；通常）、制御部７は、ＣＤ再生部１及びＭＤ記録再生部２を制御して、ダビング信号が示すディスク番号及びトラック番号に記録されている楽曲データをＭＤに通常ダビングし（ステップＳ３０４）、ＡＩダビング処理を終了する。
【００４３】
一方、高速ダビングの方が早いと判別した場合（ステップＳ３０３；高速）、制御部７は、タイマ５が高速記録禁止時間のカウントを終了するまで待機する。そして、高速記録禁止時間のカウントが終了した後、制御部７は、ＣＤ再生部１及びＭＤ記録再生部２を制御して、ダビング信号が示すディスク番号及びトラック番号に記録されている楽曲データをＭＤに高速ダビングし（ステップＳ３０５）、ＡＩダビング処理を終了する。なお、制御部７は、高速ダビングを開始する際、タイマ５に所定の高速記録禁止時間をセットし、タイマ５に高速記録禁止時間のカウントを開始させる。
【００４４】
（具体例）
次に、上記記録再生装置が行うＡＩダビングを具体例により説明する。
１．具体例１
始めに、記録再生装置の利用者が、それぞれ異なるＣＤに記録されている３つの楽曲データをＭＤにダビングする場合について説明する。なお、高速ダビングは、通常ダビングの２倍の速度で行われる。また、高速記録禁止時間の残り時間は３０分である。また、ダビング先のＭＤには楽曲データが１つも記録されていない。
【００４５】
記録再生装置の利用者は、ダビング対象の楽曲データを記録している３枚のＣＤをＣＤ再生部１にセットし、ダビング先のＭＤをＭＤ記録再生部２にセットする。
ＣＤ再生部１は、セットされた各ＣＤに記録されているＴＯＣ情報を再生し、例えば図５（ａ）に示すＣＤ−ＴＯＣ情報を生成して制御部７に出力する。
【００４６】
ＭＤ記録再生部２は、セットされたＭＤに記録されているＴＯＣ情報を再生し、例えば図５（ｂ）に示すＭＤ−ＴＯＣ情報を生成して制御部７に出力する。
制御部７は、ＣＤ再生部１から供給されるＣＤ−ＴＯＣ情報、及び、ＭＤ記録再生部２から供給されるＭＤ−ＴＯＣ情報を、メモリ４に記憶させる。
【００４７】
記録再生装置の利用者は、ＣＤ及びＭＤをセットした後、入力部３の入力ボタン等を操作して、上記ダビングモードを選択し、ダビング対象の楽曲データが記録されているＣＤのディスク番号及びトラック番号をダビングする順番に入力する。
【００４８】
具体的には、オーディオ装置の利用者は、ダビングモードとしてＡＩモードを選択する。また、利用者は、１番目にディスク２及びトラック１を入力し、２番目にディスク３及びトラック３を入力し、３番目にディスク１及びトラック２を入力する。
【００４９】
入力部３は、利用者が選択又は入力したダビングモード、ディスク番号、及び、トラック番号等を示すダビング信号を制御部７に出力する。これにより、１番目にディスク２のトラック１に記録されている楽曲データをダビングし、２番目にディスク３のトラック３に記録されている楽曲データをダビングし、３番目にディスク１のトラック２に記録されている楽曲データをダビングすることが設定される。
【００５０】
制御部７は、入力部３から供給されるダビング信号に応答して、図２に示すダビング処理を開始する。
始めに、制御部７は、ダビング信号が示すダビングモードが、通常モード、高速モード、及び、ＡＩモードの何れであるかを判別する（ステップＳ１０１）。
【００５１】
この場合、制御部７は、ＡＩモードであると判別し（ステップＳ１０１；ＡＩ）、図４に示すＡＩダビング処理を行う（ステップＳ１０４）。
始めに、制御部７は、タイマ５が上記高速記録禁止時間のカウントを行っているか否かを判別することにより、前回の高速ダビングから所定の高速記録禁止時間が経過しているか否かを判別する（ステップＳ３０１）。
【００５２】
この場合、制御部７は、経過していないと判別し（ステップＳ３０１；ＮＯ）、高速記録禁止時間の経過を待たずに通常ダビングするのと、高速記録禁止時間の経過を待ってから高速ダビングするのとでは、どちらが早く楽曲データをダビングすることができるかを判別する（ステップＳ３０３）。
【００５３】
具体的には、制御部７は、タイマ５から高速記録禁止時間が経過するまでの残り時間を取得する。また、制御部７は、メモリ４のＣＤ−ＴＯＣ情報からダビング対象である楽曲データの個別再生時間を取得する。
この場合、高速記録禁止時間の残り時間は３０分であり、ダビング対象である楽曲データの個別再生時間は、それぞれ１０分、１４分、１０分である。
【００５４】
そして、制御部７は、高速記録禁止時間の経過を待たずに通常ダビングするのに要する時間（通常ダビング時間）と、高速記録禁止時間の経過を待ってから高速ダビングするのに要する時間（高速記録禁止時間の残り時間）＋（高速ダビング時間）と、をそれぞれ求める。
この場合、（通常ダビング時間）は３４分であり、（高速記録禁止時間の残り時間）＋（高速ダビング時間）は、３０＋１７＝４７分である。
【００５５】
従って、制御部７は、高速記録禁止時間の経過を待たずに通常ダビングするほうが早く楽曲データをダビングできると判別する（ステップＳ３０３；通常）。そして、制御部７は、ＣＤ再生部１及びＭＤ記録再生部２を制御して、ダビング信号が示すディスク番号及びトラック番号に記録されている楽曲データをＭＤに通常ダビングし（ステップＳ３０４）、ＡＩダビング処理を終了する。
【００５６】
以上のように、ＡＩモードでは、記録再生装置が、高速記録禁止時間の残り時間から、所定の楽曲データをより早くダビングできる方法を選択する。このため、記録再生装置の利用者は、ＡＩモードを選択するだけで、楽曲データのダビングを簡単に効率よく行うことができる。
【００５７】
２．具体例２
次に、高速記録禁止時間の残り時間が１０分である場合について説明する。なお、記録再生装置の利用者は、具体例１と同様に、それぞれ異なるＣＤに記録されている３つの楽曲データをＭＤにダビングする。また、高速ダビングは、通常ダビングの２倍の速度で行われる。また、ダビング先のＭＤには楽曲データが１つも記録されていない。
【００５８】
記録再生装置の利用者は、ダビング対象の楽曲データを記録している３枚のＣＤをＣＤ再生部１にセットし、ダビング先であるＭＤをＭＤ記録再生部２にセットする。
ＣＤ再生部１は、セットされた各ＣＤに記録されているＴＯＣ情報を再生し、例えば図５（ａ）に示すＣＤ−ＴＯＣ情報を生成して制御部７に出力する。
【００５９】
ＭＤ記録再生部２は、セットされたＭＤに記録されているＴＯＣ情報を再生し、例えば図５（ｂ）に示すＭＤ−ＴＯＣ情報を生成して制御部７に出力する。
制御部７は、ＣＤ再生部１から供給されるＣＤ−ＴＯＣ情報、及び、ＭＤ記録再生部２から供給されるＭＤ−ＴＯＣ情報を、メモリ４に記憶させる。
【００６０】
記録再生装置の利用者は、ＣＤ及びＭＤをセットした後、具体例１と同様に、ダビングモードとしてＡＩモードを選択する。また、利用者は、具体例１と同様に、１番目にディスク２及びトラック１を入力し、２番目にディスク３及びトラック３を入力し、３番目にディスク１及びトラック２を入力する。
【００６１】
入力部３は、利用者が選択又は入力したダビングモード、ディスク番号、及び、トラック番号等を示すダビング信号を制御部７に出力する。これにより、１番目にディスク２のトラック１に記録されている楽曲データをダビングし、２番目にディスク３のトラック３に記録されている楽曲データをダビングし、３番目にディスク１のトラック２に記録されている楽曲データをダビングすることが設定される。
【００６２】
制御部７は、入力部３から供給されるダビング信号に応答して、図２に示すダビング処理を開始する。
始めに、制御部７は、ダビング信号が示すダビングモードが、通常モード、高速モード、及び、ＡＩモードの何れであるかを判別する（ステップＳ１０１）。
【００６３】
この場合も、制御部７は、ＡＩモードであると判別し（ステップＳ１０１；ＡＩ）、図４に示すＡＩダビング処理を行う（ステップＳ１０４）。
始めに、制御部７は、タイマ５が上記高速記録禁止時間のカウントを行っているか否かを判別することにより、前回の高速ダビングから所定の高速記録禁止時間が経過しているか否かを判別する（ステップＳ３０１）。
【００６４】
この場合、制御部７は、経過していないと判別し（ステップＳ３０１；ＮＯ）、具体例１と同様にして、高速記録禁止時間の経過を待たずに通常ダビングするのと、高速記録禁止時間の経過を待ってから高速ダビングするのとでは、どちらが早く楽曲データをダビングすることができるかを判別する（ステップＳ３０３）。
【００６５】
具体的には、制御部７は、タイマ５から高速記録禁止時間が経過するまでの残り時間を取得し、メモリ４のＣＤ−ＴＯＣ情報からダビング対象である楽曲データの個別再生時間を取得する。
【００６６】
この場合、高速記録禁止時間の残り時間は１０分であり、ダビング対象である楽曲データの個別再生時間は、それぞれ１０分、１４分、１０分である。これより、（通常ダビング時間）は３４分であり、（高速記録禁止時間の残り時間）＋（高速ダビング時間）は、１０＋１７＝２７分である。
【００６７】
従って、制御部７は、高速記録禁止時間の経過を待ってから高速ダビングするほうが早く楽曲データをダビングできると判別する（ステップＳ３０３；高速）。そして、制御部７は、タイマ５が高速記録禁止時間のカウントを終了するまで待機する。このようにして、高速記録禁止時間が経過するまでダビングの待機（予約）状態となる。
【００６８】
高速記録禁止時間が経過した後、制御部７は、ＣＤ再生部１及びＭＤ記録再生部２を制御して、ダビング信号が示すディスク番号及びトラック番号に記録されている楽曲データをＭＤに高速ダビングし（ステップＳ３０５）、ＡＩダビング処理を終了する。なお、制御部７は、高速ダビングを開始する際、タイマ５に所定の高速記録禁止時間をセットし、タイマ５に高速記録禁止時間のカウントを開始させる。
【００６９】
以上のように、ＡＩモードでは、記録再生装置が、高速記録禁止時間の残り時間から、所定の楽曲データをより早くダビングできる方法を選択する。このため、記録再生装置の利用者は、ＡＩモードを選択するだけで、楽曲データのダビングを簡単に効率よく行うことができる。
【００７０】
なお、上記記録再生装置は、ＣＤからＭＤへの楽曲データのダビングだけでなく、プログラムやデータ等のダビング一般に適用することができる。例えば、ＣＤ−ＲＯＭ、ＤＶＤ−ＲＯＭ等の記録媒体に画像データやプログラム等をダビングする場合にも適用することができる。
【００７１】
また、本発明の装置は、専用の装置を用いる必要はなく、通常のコンピュータにより実現することができる。例えば、コンピュータに上記した各処理を実行させるためのプログラム及びデータを記録媒体（フロッピーディスク、ＣＤ−ＲＯＭ等）に記録して配布し、これをインストールしてＯＳ上で実行することにより、この発明の装置を実現できる。
また、プログラム及びデータの配布は、ＣＤ−ＲＯＭ等に限らず、通信回線等を介して行われてもよい。
【００７２】
【発明の効果】
以上の説明から明らかなように、本発明によって、データの記録を効率よく行うことができる。
【図面の簡単な説明】
【図１】本発明の実施の形態にかかる記録再生装置の構成図である。
【図２】図１に示す記録再生装置を構成する制御部が行うダビング処理を示すフローチャートである。
【図３】図２に示すダビング処理を構成する高速ダビング処理を示すフローチャートである。
【図４】図２に示すダビング処理を構成するＡＩダビング処理を示すフローチャートである。
【図５】図１に示す記録再生装置を構成するメモリが記憶するＣＤ−ＴＯＣ情報及びＭＤ−ＴＯＣ情報の具体例である。
【符号の説明】
１  ＣＤ再生部
２  ＭＤ記録再生部
３  入力部
４  メモリ
５  タイマ
６  表示部
７  制御部
【図１】
0003718416.tif 000002
【図２】
0003718416.tif 000003
【図３】
0003718416.tif 000004
【図４】
0003718416.tif 000005
【図５】
0003718416.tif 000006